(57)【要約】【課題】本発明は、従来の振動や揺れを利用しての防犯装置による誤報作動が大変多いという重大な欠点を解決することを目的とし同時にガラスへの霜の付着をという問題を従来にはなかったガラス窓防霜可能なスクリーン防犯警告警報装置の提供を目的とする。【解決手段】筐体を持つガラス窓防霜可能なスクリーン防犯警告警報装置のスクリーン部と筐体部分に防犯機能の装置を組み込みそのスクリーンがやぶかれたり、はがされたり等外的な不正行為が行われた場合のみ防犯装置が作動する。又、窓の外に取り付けることによってガラスへの霜の付着の予防効果兼用構成にすることにより両目的を同時に解決した。【選択図】図１
2006252500.tif 000002
【特許請求の範囲】
【請求項１】
防霜可能なスクリーンとスクリーンを収める筐体とからなるスクリーン装置において、そのスクリーン部には通電部が組み込まれており、さらにスクリーン部又は筐体のいずれかに通電の解除非解除認識部を備え、かつそのスクリーンの収納部（筐体）又はスクリーン端部に警報部又は警報発信部へ警報発信信号を送る機能部を併せ持つことを特徴とする防霜可能なスクリーン兼用型防犯装置。
【請求項２】
フレキシブルなファブリック型の巻き上げ型スクリーン装置において、そのスクリーン部には通電部が組み込まれており、さらにスクリーン部又は筐体のいずれかに通電の解除非解除認識部を備え、かつそのスクリーンの収納部（筐体）に警報部を併せ有しさらに、その筐体部には変位感知部とを併せ有することを特徴とする巻き上げ型スクリーン兼用防犯装置。
【請求項３】
フレキシブルなスクリーンをもちいた巻き上げ型スクリーン装置において、そのスクリーン部には通電部が組み込まれており、さらにスクリーン部又は筐体のいずれかに通電の解除非解除認識部を備え、かつそのスクリーンの収納部（筐体）に警報部とからなりしかもスクリーン部の通電部は網の目状に配線されていることを特徴とする巻き上げ型スクリーン兼用防犯装置。
【請求項４】
フレキシブルなスクリーンをもちいた巻き上げ型スクリーン装置において、そのスクリーン部には通電部が組み込まれており、さらにスクリーン部又は筐体のいずれかに通電の解除非解除認識部を備え、かつそのスクリーンの収納部（筐体）に警報部を併せ有しかつスクリーン部には文字又は記号表示部を有することを特徴とする巻き上げ型スクリーン兼用型防犯装置。
【請求項５】
巻上げ型スクリーン装置において、そのスクリーン部には通電部が組み込まれており、さらにスクリーン部又は筐体のいずれかに通電の解除非解除認識部を備え、かつそのスクリーンの収納部（筐体）に警報部を併せもち、かつ巻き取り軸部分とスクリーンとは通電体で接続している通電体部からなることを特徴とする巻上げ型スクリーン兼用型防犯装置。
【請求項６】
巻上げ型スクリーン装置において、そのスクリーン部には通電部が組み込まれており、さらにスクリーン部又は筐体のいずれかに通電の解除非解除認識部を備え、かつそのスクリーンの収納部（筐体）に警報部を有し、筐体部には変位感知部と、誘導電磁波発生部を併せ有することを特徴とする巻上げ型スクリーン兼用型防犯装置。
【請求項７】
巻上げ型スクリーン装置において、そのスクリーン部には通電部が組み込まれており、さらにスクリーン部又は筐体のいずれかに通電の解除非解除認識部を備え、かつそのスクリーンの収納部（筐体）に警報部と予備電源部とを併せ有することを特徴とする巻上げ型スクリーン兼用型防犯装置。
【請求項８】
スクリーン部には通電部が組み込まれており、さらにスクリーン部又は筐体のいずれかに通電の解除非解除認識部を備え、かつそのスクリーンの収納部（筐体）に警報部を併せ有する巻上げ型スクリーン兼用型防犯装置と共に、その警報部にはネットワーク接続装置を有しており、ネットワーク先にもネットワーク接続部を有し、有線又は無線のネットワーク接続部を併せ有することを特徴とする巻上げ型スクリーン兼ネットワーク型防犯装置。
【請求項９】
防霜可能なスクリーンとスクリーンを収める筐体とからなるスクリーン装置において、そのスクリーン部には通電部が組み込まれており、さらにスクリーン部又は筐体のいずれかに通電の解除非解除認識部を備え、かつそのスクリーンの収納部（筐体）又はスクリーン端部に警報部又は警報発信部へ警報発信信号を送る機能部を併せ持ち、筐体部にはスクリーン巻上げ部又はつめこみ部を有することを特徴とする防霜可能なスクリーン兼用型防犯装置。
【発明の詳細な説明】
【技術分野】
【０００１】本発明は新規なファブリック状ガラス窓用防霜防犯装置に関する。
【技術背景】
【０００２】従来建築物などで人間の進入防止のため硬くてぶあつくて壊しがたい物に、シャッターがある。鋼鉄の帯状物が蝶番状物で連続しておりそれが金属のはめ込み枠の中に組み込まれたもので、枠それじたいは巻き込み特性はない物が知られている。又従来ガラス窓内部に遮光目的で防霜機能のない多数のスチールの帯が重ねこまれるブラインドは知られている。これは室内で使われる物であり重ね合わせ構造である。これらにおいてファブリックの概念はまったくなかった。従来ブラインドへの防犯装置として（特許文献１）ブラインドの昇降コードの弛み又はブラインドの遥動を検知し警報信号を発生させるといったブラインドがあった。又ブラインドのスラットに併設された導電性の検出線を有し（特許文献２）スラットの破壊を電気的に検出する手段を具備する防犯機能付ブラインドがあった。さらに（特許文献３）上記特許文献２に容易にはスラットを破壊されないスラットを有し破壊された場合に警報を発する防犯機能付ブラインド装置があった。
【０００３】又日射遮蔽装置に防犯機能を持たせた物に（特許文献４）ボトムレールの揺れを検出して防犯対策をするものがあった。さらに盗難防止用ロールスクリーン（特許文献５）は単に施錠するという単純な方法があった。
【０００４】（特許文献１）    特開２００４−３３２２８２
（特許文献２）    特開平１０−２８３５７６
（特許文献３）    特開平９−２１２７８
（特許文献４）    特開２００３−１９３７７０
（特許文献５）    実開平７−１７１４３
【発明が解決しようとする課題】
【０００５】しかしながら従来シャッターは柔軟な巻き込み型の枠がないので参考にはならない。特許文献１，２，３，４はいずれも室内ブラインドであり防霜スクリーンとは異なった物である。また特許文献１では、昇降コードの弛み、ブラインドの揺れを感知手段としているため窓を開けている場合（外部使用）にはその手段は不向きである。特許文献２では、縦枠を使用しているためその取り付けは簡単ではなかった。特許文献３では、左右の枠と上下の枠を有しているため取り付けが容易ではない。特許文献４では、ボトムレールの揺れを感知して防犯装置が働くため窓の外での使用には不向きである。また特許文献１，２，３，４はその主たる電源を切断され場合防犯装置が不能となってしまうという重大な欠点があった。また特許文献５では防犯の方法が単純に施錠する方法であり、警報装置がついていないため施錠部を破壊されれば意味がなくさらにスクリーンを破かれた場合施錠部を壊すまでもなく、いとも簡単に盗難にあってしまうという重大な欠点があった。本発明は窓より外で防霜を目的とし又同時に上記の諸欠点を同時克服することを目的とする。ブラインドではなく防霜スクリーンであり同時に遮光，遮霜を目的とし、防霜可能なスクリーンのみに伴う諸問題を克服する防犯、盗難防止、いたずら防止を同時に達成することを目的とする。
他の目的は以下の説明でさらに明らかにするであろう。
【課題を解決するための手段】
【０００６】本発明の骨子は次の通りである。すなわち、外部で誰でも壊しうるファブリックという予想外の対象物に防犯機能を組み込むという、今まで想像すらされなかった、一見非常識と思われる対象に防犯機能を組み込んだところに大きな特徴がある発明であると共に、さらに防霜可能という特異機能狙いに同時対処した構成をとらしたのも大きな特徴である。さらに同時に次の構成をとる。
（１）ガラス（有機、無機問わない）への霜の付着防止すなわち防霜（遮光をかねる）スクリーン装置において、そのスクリーン部には通電部が組み込まれており、さらにスクリーン部又は筐体のいずれかに通電の解除非解除認識部を備え、かつそのスクリーンの収納部（筐体）又はスクリーン端部に警報部又は警報発信部へ警報発信信号を送る機能部を併せ持つことを特徴とする防霜可能なスクリーン兼用型防犯装置である。
（２）フレキシブルなファブリック型の巻き上げ型スクリーン装置において、そのスクリーン部には通電部が組み込まれており、さらにスクリーン部又は筐体のいずれかに通電の解除非解除認識部を備え、かつそのスクリーンの収納部（筐体）に警報部を併せ有しさらに、その筐体部には変位感知部とを併せ有することを特徴とする巻き上げ型スクリーン兼用防犯装置である。
【０００７】（３）フレキシブルな巻き上げ型スクリーン装置において、そのスクリーン部には通電部が組み込まれており、さらにスクリーン部又は筐体のいずれかに通電の解除非解除認識部を備え、かつそのスクリーンの収納部（筐体）に警報部とからなりしかもスクリーン部の通電部は網の目状に配線されていることを特徴とする巻き上げ型スクリーン兼用防犯装置である。
（４）フレキシブルな巻き上げ型スクリーン装置において、そのスクリーン部には通電部が組み込まれており、さらにスクリーン部又は筐体のいずれかに通電の解除非解除認識部を備え、かつそのスクリーンの収納部（筐体）に警報部を併せ有しかつスクリーン部には文字又は記号表示部を有することを特徴とする巻き上げ型スクリーン兼用型防犯装置である。
【０００８】（５）巻上げ型スクリーン装置において、そのスクリーン部には通電部が組み込まれており、さらにスクリーン部又は筐体のいずれかに通電の解除非解除認識部を備え、かつそのスクリーンの収納部（筐体）に警報部を併せもち、かつ巻き取り軸部分とスクリーンとは通電体で接続している通電体部からなることを特徴とする巻上げ型スクリーン兼用型防犯装置である。
（６）巻上げ型スクリーン装置において、そのスクリーン部には通電部が組み込まれており、さらにスクリーン部又は筐体のいずれかに通電の解除非解除認識部を備え、かつそのスクリーンの収納部（筐体）に警報部を有し、筐体部には変位感知部と、誘導電磁波発生部を併せ有することを特徴とする巻上げ型スクリーン兼用型防犯装置である。
【０００９】（７）巻上げ型スクリーン装置において、そのスクリーン部には通電部が組み込まれており、さらにスクリーン部又は筐体のいずれかに通電の解除非解除認識部を備え、かつそのスクリーンの収納部（筐体）に警報部と予備電源部とを併せ有することを特徴とする巻上げ型スクリーン兼用型防犯装置である。
（８）巻上げ型スクリーン装置において、そのスクリーン部には通電部が組み込まれており、さらにスクリーン部又は筐体のいずれかに通電の解除非解除認識部を備え、かつそのスクリーンの収納部（筐体）に警報部を併せ有することを特徴とする巻上げ型スクリーン兼用型防犯装置において、その警報部にはネットワーク接続装置を有しており、ネットワーク先にもネットワーク接続部を有している。ネットワーク接続には有線、無線を使用し、周囲の物をネットワーク化させることを併せ有することを特徴とする巻上げ型スクリーン兼用型防犯装置である（例えば２つをネットワークで結ぶ場合、警報装置部は１つあればよくネットワーク接続された側には警報装置がなくともよい）。
（９）ガラス（有機、無機問わない）への霜の付着防止すなわち防霜（遮光をかねる）スクリーン装置において、そのスクリーン部には通電部が組み込まれており、さらにスクリーン部又は筐体のいずれかに通電の解除非解除認識部を備え、かつそのスクリーンの収納部（巻き上げ型又はつめこみ型の筐体）又はスクリーン端部に警報部又は警報発信部へ警報発信信号を送る機能部を併せ持つことを特徴とする防霜可能なスクリーン兼用型防犯装置である。
【００１０】  第１の発明から触れる。  フレキシブルなファブリックをもちいたロールスクリーン装置において、そのスクリーン部に組み込んだ通電部を備えかつそのスクリーンの収納部（筐体）に警報装置部を併せ有することで問題を解決した。（図１参照）ここでいう解除非解除部とは接触、非接触の構造や簡単な通電のＯＮ、ＯＦＦの機能がはたせる機能構成をなす。スクリーンの収納体（筐体）とはスクリーンを巻き取り収納する部分でありそれを筐体と呼ぶ。フレキシブルなロールスクリーンとは、ファブリックをもちいるなどして巻き取って筐体の中に収納できる形態である。警報部とは警告する音とか光を発することである。
【００１１】  第２の発明において、そのスクリーン部に組み込んだ通電部を備えかつそのスクリーンの収納部（筐体）に変位感知装置を付けた警報装置部を併せ有する巻上げ型スクリーン兼用型防犯装置であり、筐体の内部には警告装置の解除なしに故意的に無理にはずそうとすると警報装置が機能、作動することで筐体本体の防犯盗難を解決した。変位感知装置部とは筐体に大きな傾きや加速度変化、強い刺激を与えた時に感知するデバイスのすべてをさす。変位には変異，変移，偏移の字をあてる場合もある。巻き上げ型スクリーンをロールスクリーンとも呼ぶ場合もあるが室内用の物とは本質的に異なる。
【００１２】第３の発明において、そのスクリーン部分には防犯装置に接続されている配線等が網の目上に配線してあり（図１のＣ）その配線の１つでも切断された場合には防犯装置が作動する。網の目状に配線されている通電部とは例えば升目状，格子状に組まれていることによって、スクリーンの生地を破きずらく、切り裂きずらくする効果がある。
【００１３】第４の発明において、そのスクリーン部の表面には防犯警告装置機能が作動しているという内容が記されており（図３参照）、誰が見ても一目で防犯装置が作動及び防犯機能がスクリーンには付いていることがわかる。文字又は記号表示部とはこれらの意味の事である。
【００１４】第５の発明において、スクリーン部分と筐体内部の巻き取り軸（図１のＪ）とは防犯機能の配線等で接続されており（図１のＦ）スクリーンと巻き取り軸（Ｊ）部分を無理にはずそうとすることによって防犯装置が作動する。通電体とは配線とか通電体を含むひも状、帯状のような物をさす。
【００１５】第６の発明において、ＩＣチップにより接触時に装置に電源が入り防犯機能が働く非接触時には解除される。また解除は誘導電波によって解除できる。接触、非接触をマグネットを使用して接触時に装置の電源が入り防犯機能が働く。またＩＣチップが組み込まれていて、暗証番号の入力によって装置の機能を解除できる。また誘導電波によっても機能の解除ができる装置である。スクリーンＡには網の目状に配線がほどこされており（図１−Ｃ）無理にスクリーンを破いたり、切断しようとすると配線が切断され警報等の防犯装置が作動する。また筐体の内部には変位感知部センサー装置Ｅを有しているため無理に筐体Ｇをはずそうとするとセンサーが反応し防犯装置が作動する。
【００１６】またスクリーンＡと巻き取り軸ＪとをつないでいるＦにも配線が施されているためにＦが切断されることによって防犯装置が作動する。また防犯装置の解除の方法として、Ｈ部分には暗証コード等の入力装置を有しておりその装置によって解除できる。また誘導電波による遠隔装置Ｉのようなリモコン装置を使用しても解除ができることを特徴とする防犯機能の付いたロールスクリーン装置である。誘導電磁波発生部とは誘導電波による遠隔装置Ｉのようなリモコン装置のたぐいをさす。変位感知センサー部とは本来の場所から離れたりずれたり傾いたりした場合に通電部同士が接触又は非接触になった場合に機能する装置のことをさす。
【００１７】第７の発明において、予備電源部とは本来の電源部ではない所、例えば自動車ならばバッテリー、家庭なら電源以外の、非常用電源に相当する。例えば長時間は持続できなくとも短時間なら機能する。また本来の電源部からの電源供給がなんらかの影響で絶たれた場合予備電源作動中という警告を発光等によって知らせる装置を含む。本発明は簡単に言えば従来の車両盗難防止装置等に使用されている振動センサーによる誤作動の欠点を解決した、車両盗難防止装置を目的とし自動車の外側のフロントガラスにスクリーンを垂らすことによって、自動車の前方の視界をさえぎりまた直接的な付加行為が行われない限り誤作動はしないセキュリティー装置である。
【００１８】第８の発明において、すなわちスクリーン部には通電部が組み込まれており、さらにスクリーン部又は筐体のいずれかに通電の解除非解除認識部を備え、かつそのスクリーンの収納部（筐体）に警報部を併せ有する巻上げ型スクリーン兼用型防犯装置と共に、その警報部にはネットワーク接続装置を有しており、ネットワーク先にもネットワーク接続部を有し、有線又は無線のネットワーク接続部を併せ有することを特徴とする巻上げ型スクリーン兼ネットワーク型防犯装置であって、筐体内部の警報装置部のネットワーク接続装置部とは例えばパソコンでいえばルーター機能のことをさす。またこれを親機とも呼ぶ。ネットワーク接続先にも接続部が（図１−Ｂ，Ｂ’）有線、無線にてネットワーク接続された周囲の防犯を行う。また親機とネットワークで結ばれた相手先には必ずしも警報装置がなくともよい。またこのネットワークが切断された場合は警報装置が作動するネットワーク装置である。又親機は自動車のクラクションの警報機を兼用させて鳴らさせることも含む。
第９の発明は、防霜可能なスクリーンとスクリーンを収める筐体とからなるスクリーン装置において、そのスクリーン部には通電部が組み込まれており、さらにスクリーン部又は筐体のいずれかに通電の解除非解除認識部を備え、かつそのスクリーンの収納部（筐体）又はスクリーン端部に警報部又は警報発信部へ警報発信信号を送る機能部を併せ持ち、筐体部にはスクリーン巻上げ部又はつめこみ部を有することを特徴とする防霜可能なスクリーン兼用型防犯装置である。つめこみとは、規則正しく筐体に収納されていく他方法以外の事をいう。例えば不規則にまるまって収納するような方法。
図１ではスクリーンＡの延長部ＦはＪで巻き取られる。
【００１９】本発明を図をもちいて説明すると、筐体Ｄの内部には警告警報装置及び解除非解除認識部を持つＥを備えている。またＥには変位感知センサー部がある。さらにスクリーンＡを巻き取るための軸Ｊを有しており、スクリーンＡと巻き取り軸ＪとはＦでつながっている。スクリーンＡには升目、格子状のような網の目状に配線されたＣを有しておりそのスクリーンの端部には通電の解除非解除認識部Ｈを有している。更に端部にはスクリーンの引き出し部Ｂが付いている。ＢとＢ’が接触することによって警告警報装置Ｅの機能が作動する。（またこのＢとＢ’にはネットワーク接続するときの接続部の機能も有する。）この時、暗証コード等をＨかリモコンＩを使って入力する。スクリーンＡにはりめぐらされた配線等Ｃを切断した場合にはただちに警告警報装置Ｅが音や光を発して異常を知らせる。警告警報装置Ｅには予備電源Ｋを有している。ボンネットを開けられて電源が切断されても呼び電源が働きしばらくは警報を発することが可能である。警報の解除にはリモコンＩかスクリーンの端部にあるＨ部によって暗証コードを入力し機能の解除を行う。その後スクリーンＡを巻き取って筐体Ｄに収納する。図３ではスクリーンの表面には警告警報装置が作動中という警告文字を書くことによって威嚇警告の効果を訴える。または広告宣伝をいれてもよい。図２のようにこの装置は自動車に好適である。
【発明の効果】
【００２０】▲１▼  自動車のフロントガラスの視界をさえぎるため仮に車内に侵入されても車両ごと運転して盗んでいくことを防ぐことが可能となった。
▲２▼  振動センサー等によって発生していた誤報による作動がなくなった。
▲３▼  自動車に使用の場合、車外にて使用のため日除け，霜除け等の効果も同時に達成し、車内の温度上昇の抑制効果、また霜を除去するためのアイドリング運転の抑制によって無駄なアイドリングによるＣＯ２の削減効果がある。
▲４▼  自動車の防犯装置の切り忘れによってドア等を開けたときに警報が作動していた誤作動が運転席の視界がさえぎることによって防犯装置の解除を忘れて運転するようなことがなくなり誤報作動をなくした。
▲５▼  フロントガラスに使用する為車内の目隠しの効果がある。
▲６▼  防霜、遮光，遮霜効果と盗難いたずら防止の同時併用効果がある。
▲７▼  防霜可能なロールスクリーンやカーテン等に外から見える所に防犯装置機能が付いていることをアピールすることによって、その視的嚇効果もある。
▲８▼  ロールスクリーンやカーテン等、目隠し等の効果もある物に本発明の独特な防犯装置を備えることによりその物自体の機能が向上し新たに防犯装置を取り付けなくともよくなった。
【００２１】本発明をさらに展開した効果。
【００２２】▲９▼  建築物等の窓部分に関していえば誰でもごく自然な感覚でロールスクリーンやカーテン等を選びながら防犯対策も可能となった。
▲１０▼  空間（部屋等）の雰囲気を壊さずとも自然に窓等の防犯が可能となった
▲１１▼  防霜、遮光，遮霜、広告宣伝、防犯をすべて同時に一つの物で行うことが出来るようになった。
▲１２▼  ファブリックな物の中に防犯機能を仕組むという予想外の手法をとることによりごく自然に誰でも簡単に防犯装置を備えることが可能となった。
▲１３▼  専門の知識がなくとも防犯装置の取り付けが可能となった。
▲１４▼  誰にでも防犯装置の作動を知らせられるため盗賊への威嚇効果がある。
▲１５▼  ロールスクリーン等で空間を仕切ると同時に仕切った箇所の防犯が可能となった。
▲１６▼  空間を自由に仕切りながら防犯と広告宣伝が同時に行えるようになった。
▲１７▼  催し物会場など空間を自由に変更させて使用するような会場での使用において自由にロールスクリーンで空間を間仕切ると同時に防犯が可能となった。
【発明を実施するための最良の形態】
【００２２】  以下の説明の実施例により、本発明を更に詳細に説明する。しかし、本実施例により、本発明の有効性が、限定解釈されるものではない。
【実施例１】本発明の防犯装置を自動車のフロントガラスに垂らして装着した。雨が降った時テストした結果、良好であった。また近くをトラック等が通って振動の激しい場所でテストした結果、良好であった。電車が通って振動しても防犯機能は感知をせずに誤報作動がなかった。このことは防犯装置のセンサー部分に振動によって感知する方法を用いていないため誤報作動が発生しなかったといえよう。そしてスクリーンを防犯の解除なしに不正行為によってはずそうとした場合防犯装置が作動した。結果として確実にその物を不正にはずそうとしないかぎり防犯装置は作動することがないという信頼性の高いものが得られた。
【実施例２】
【００２３】本発明の防犯装置を窓等、特にＦＩＸなどの開かない大きなガラス面に取り付けた。なおスクリーンには暗闇、夜間には表から良く見える所に防犯装置作動中等の警告を良く見えるようにして使用した。結果大きなガラス面などの防犯とガラスには目立つように防犯装置作動中などの警告をうながすシール等をガラスに貼ることなく、警告をアピールすることができるという利点も得られた。
【実施例３】
【００２４】体育館などの広くて間仕切りのされていない場所に本発明を図４のように配置しスクリーンを垂らしてセットした（図４参照）。ここでは仮のパーテーションで仕切るために骨組み（図４−７）を組んである。その骨組みに本発明装置を取り付けた。本発明装置には防犯装置が組み込まれている。仮にこれを親機と呼ぶ（図４−１）にあとの３個（図４−２，３，４）は親機と図１のＢを利用してネットワーク接続されている。ネットワーク接続の方法として図４−１から図４−２に図４−２から図４−３へと接続する方法とそれぞれをおのおの親機に直接接続していく方法また無線を利用する方法によってネットワーク接続をした。これによって空間図４−５は簡易的に防犯スクリーンによって守られた空間となった。またこの簡易システムは使いまわしが可能であるため仮設の空間への防犯対策に大変役にたつものである。なお電源は親機の予備電源と仮設の補助電源を使用した。（図４−６）
【好ましい範囲及び変更可能な範囲】
【００２５】設置及び収納、巻き取り方法は折りたたみ式、アコーデオン式、蛇腹式、ブラインド式、スクリーン部を例えばカメラのフイルムのように穴が等間隔にあいていて、巻き取る軸のほうには歯車のような形状を有しカメラのフイルムが巻き取られるような構造を有する構造にもできる。スクリーンを収納する筐体についてはデザイン（自動車に装着の場合はデザイン性、走行性、空力、等）を考慮しその筐体の外観を自由に変えることが可能。また自動車に関わらずあらゆる乗り物にも筐体のデザインやスクリーンの形態を変えることによって対応できる。筐体の中から実際に外に出るスクリーンの生地の長さ以外に関しては同量または同量以上、以下でも配線がされていればかまわない。またスクリーンの収納方法として「スクリーン本体」を引っ張り出す、または引き下げるもしくは左右に引っ張り出すことによって筐体内部に収納が可能であればその形態はなんでもかまわない。
【００２６】すべての部品部分は防犯装置と連動されておりその一部でも破壊されると防犯機能が作動する構造とする。巻き取り収納の方法としては、電動モーター、バネ、手動、ぜんまい、スプリング等の装置の構成が適宜選ばれる。取り付ける箇所の近くには防犯装置を作動させるための電源等が近くにありまたその電源は外からは見えない場所とすることが好ましい。複数の物を１箇所で集中制御することも好ましい。電源供給が何らかの異変によって絶たれたとしても装置内部の予備電源例えば電池等によって再電源供給されることもできることが好ましい。カーテンレール等を利用して防犯装置の配線を施すことも好ましい。
【００２７】窓等の他にもセキュリティーを必要とする箇所で使用することも好ましい。ショウールーム、ショーウインドー、ショーケース等に使用することも好ましい。店舗等の陳列棚に使用することも好ましい。本発明者が発明した「多軸型相互非接触スクリーン装置」に使用することは好ましい。スクリーンの生地やカーテン等の生地に発光素材例えば蛍光塗料、ＬＥＤ等を仕込み暗い所でも防犯装置が作動していることが認識されることが好ましい。
【００２８】予備電源にはソーラーシステムを利用することも好ましい。予備電源には各種バッテリー等を利用することも好ましい。複数個の予備電源をもちそのどれかが異変をきたしてもすぐに変わりの電源が供給されることが好ましい。防犯装置の入力及び機能の解除は暗証番号によるものをキー、鍵を使用して行うまたはその両方共で行うことも好ましい。ブラインドに防犯装置機能を付加することも好ましい。
【００２９】防犯の機能においてサイレン等音や信号で警告、警報する他、発光、煙等で異常を知らせることにも変更可能。防犯装置は電話回線、インターネットに接続されており防犯装置が作動時にはあらかじめ登録しておいた先に連絡される機能も好ましい。モニター等によって防犯の監視ができることは好ましい。防犯する部分との接地部は磁石、各種コネクター類等を接触部分が離れた場合に防犯装置が作動するものであればどんな物でも変更することが可能。
【００３０】防犯装置の付いている筐体には外部機器への接続先例えば（ＬＡＮポート）が装着されていてＬＡＮケーブル等を接続しその防犯装置を利用して違う場所の防犯をする場合防犯装置本体がなくとも可能とすることも好ましい。無線ＬＡＮ装置等を利用して近くの物とをネットワーク接続することによって１つの防犯装置で複数の防犯を可能とすることも好ましい。特に自動車のルーフトップに筐体を装着しスキー板やサーフボード等の盗難防止策として有線、無線接続にてそれぞれを接続ネットワーク化する使用方法は特に好ましい。自動車のルーフトップに筐体を装着し有線、無線ＬＡＮ接続されたスクリーンをリヤガラスやサイドガラス等にもスクリーンを装着することも好ましい。筐体内部にＧＰＳ装置を取り付けて利用することも好ましい。
【００３１】防犯装置本体は筐体の内部でなくとも有線、無線等で接続されていればその接地場所を自由に変更できることも好ましい。自動車にて使用の場合車内の盗難の被害にあいたくない物とをネットワーク化して全部まとめて防犯化することは特に好ましい。小型カメラ例えばＣＣＤのようなカメラや小型マイクを搭載することも好ましい。防犯カメラの映像、音声を無線等を利用して（ＧＰＳ）別の場所に転送することも好ましい。また内部に記憶装置をとりつけることによって映像、音声を記録できる装置も好ましい。
【００３２】防犯装置の作動方法をコネクターを使用して装置の機能を働かせることも可能、例えばコネクターを差し込んで装置が機能しコネクターを外すと機能が解除される。装置にはＩＣチップが内臓されており機能の解除には暗証番号を用いて解除する。誘導電波による遠隔操作も可能であり、このような機能の操作ができるものであればその形態は問わずどんな方法でもかまわない。
【可能な用途】
【００３３】自動車のフロントガラス、リヤガラス、側面の部分（室内、室外共）への防犯。住宅、店舗等の窓の防犯。ショウールーム、ショーウインドー、ショーケースへの防犯。陳列棚等の防犯。戸やドアがついていない物への防犯。
【図面の簡単な説明】
【００３４】
【図１】本願発明で得られたガラス窓防霜可能なスクリーン防犯警告警報装置の斜視図。
【図２】実施例１における自動車のフロントガラス前部に取り付けたガラス窓防霜可能なスクリーン防犯警告警報装置図。
【図３】スクリーンの文字の例。
【図４】本願発明の実施例３における複数個を利用し空間を間仕切りしたときの施工例。
【符号の説明】
【００３４】Ａ  スクリーン
Ｂ  装置の作動をＯＮにする機能のある装置
Ｂ’装置Ｂと結合して使用する相手側装置
Ｃ  網状にはりめぐらされた配線
Ｄ  筐体
Ｅ  筐体内部の変位感知センサー付防犯警告警報装置
Ｆ  筐体とスクリーンとの接合部
Ｇ  防犯警告警報装置を内蔵したときの筐体
Ｈ  暗証コードキー
Ｉ  リモコン
Ｊ  ロールスクリーン軸
Ｋ  予備電源
１  防犯警報装置を内蔵したロールスクリーン（実施例３ではこれを親機と呼ぶ）
２  ネットワーク接続される警報装置を内蔵していないロールスクリーン
３  ネットワーク接続される警報装置を内蔵していないロールスクリーン
４  ネットワーク接続される警報装置を内蔵していないロールスクリーン
５  防犯する目的の空間
６  補助電源
７  仮設骨組み
【図１】
2006252500.tif 000003
【図２】
2006252500.tif 000004
【図３】
2006252500.tif 000005
【図４】
2006252500.tif 000006